(57)【要約】  【課題】既に市場に設置された自動販売機の商品収納棚に対し、収納予定外の全長を有した商品を商品通路に沿って垂直に積み上げ正常に搬出させることにより、販売可能商品の種類を増やす。  【解決手段】自動販売機の商品収納棚５において、左側固定側板１ａと可動側板６との間でそれぞれに当接可能な横幅規制部材１５を備え、可動側板６と左側固定側板１ａに横幅規制部材１５がそれぞれに当接することで商品通路４の横幅の広がりを阻止することができるため、収納予定外の商品の全長に対して最適な横幅位置に設定された可動側板６が横幅規制部材１５を介して左側固定側板１ａに当接することで、収納予定外の商品の全長に対しても新たな横幅設定を容易に増やすことができることから、新たな全長を有した商品を商品収納棚４に収納可能となる。【選択図】図１
2007122124.tif 000002
【特許請求の範囲】
【請求項１】
上下方向に延びて商品通路を形成する固定側板と、前記固定側板に対向し収納する商品の長さに応じて幅方向に移動可能な可動側板を有する自動販売機の商品収納棚において、前記固定側板と前記可動側板との間に前記商品通路の横幅寸法を規制する横幅規制部材を備え、前記横幅規制部材が前記可動側板と前記固定側板に当接することで前記商品通路の横幅寸法を規制することを特徴とする自動販売機の商品収納棚。
【請求項２】
前後方向に複数列の商品通路を有し、１つの横幅規制部材が各々の固定側板と可動側板の間を連通して前記可動側板と前記固定側板に当接して前記商品通路の横幅寸法を規制することを特徴とする請求項１に記載の自動販売機の商品収納棚。
【請求項３】
横幅規制部材は、商品通路内に形成された複数のシュートを保持するピンに支持されたことを特徴とする請求項１または２に記載の自動販売機の商品収納棚。
【請求項４】
横幅規制部材は、商品通路内に形成された複数のシュートを保持するピンに着脱可能に嵌合することを特徴とする請求項１から３のいずれか一項に記載の自動販売機の商品収納棚。
【請求項５】
横幅規制部材は、固定側板に着脱可能に嵌合することを特徴とする請求項１から３のいずれか一項に記載の自動販売機の商品収納棚。
【請求項６】
横幅規制部材は、商品通路内に形成された複数のシュートを保持するピンと固定側板のそれぞれに着脱可能に嵌合することを特徴とする請求項１から３のいずれか一項に記載の自動販売機の商品収納棚。
【請求項７】
横幅規制部材には固定側板の端部に嵌合する嵌合部と、前記端部に係合するストッパー部を一体で形成し、前記端部が前記嵌合部と前記ストッパー部の間に配置することで前記横幅規制部材が前記固定部材に嵌合されることを特徴とする請求項１から６のいずれか一項に記載の自動販売機の商品収納棚。
【請求項８】
横幅規制部材は断面略コ字状の板状部材であり、前記横幅規制部材で可動側板に当接するベース面の上下端を固定側板側に折り曲げてフランジ部を形成し、前記フランジ部の先端が前記固定側板に当接して前記商品通路の横幅寸法を規制することを特徴とする請求項１から７のいずれか一項に記載の自動販売機の商品収納棚。
【請求項９】
横幅規制部材はベース面に可動側板側に向かって突出した突起部を形成した板状部材であることを特徴とする請求項８に記載の自動販売機の商品収納棚。
【請求項１０】
横幅規制部材はベース面に固定側板側に向かって突出した突起部を形成した板状部材であることを特徴とする請求項８に記載の自動販売機の商品収納棚。
【発明の詳細な説明】
【技術分野】
【０００１】
本発明は商品を横倒し姿勢で上下方向に積み重ねて収納する自動販売機の商品収納棚に関するものである。
【背景技術】
【０００２】
従来この種の自動販売機の商品収納棚は、主に断面形状が概ね円筒形及び、概ね正方形をした缶、壜、ＰＥＴ容器を横向き姿勢で積み上げて収納することを目的とし、例えば特許文献１に示されるように断面が蛇行した形状の商品通路が前後方向に複数列配置され、その上部には上下方向に複数列の商品投入口が、また、その下部には複数の商品搬出口が設けられた構成となっているものが主流となっている。
【０００３】
昨今では販売商品の多様化が更に進み、商品の全長についても多種類に渡って収納し販売することが望まれている。
【０００４】
これらの背景を鑑み、例えば特許文献２に示される自動販売機の商品収納棚のように自動販売機の商品収納棚に前後に複数列に設けられた各商品通路の横幅設定を商品の全長に応じて最適な位置に設定し正常に商品を搬出させることを目的とし左側固定側板側に幅方向に移動自在に設けられた可動側板と右側固定側板との間に商品通路を形成したものへとその構成を進化させてきている。
【０００５】
図６は特許文献２に記載された従来の商品収納棚の斜視図を示すものである。図６に示すように、対向した２枚の固定側板として左側固定側板１ａと右側固定側板１ｂ間に円弧状に湾曲したシュート２を付勢部材２ａにて下端を上方待機させ、上端は略円筒形状の回転軸２ｂを有しピン３に芽設し、上下方向に且つ前後方向に対向させ千鳥状に複数配設して蛇行状に形成された商品通路４を前後方向に複数列備えて自動販売機の商品収納棚５が構成されている。各商品通路４には左側固定側板１ａに商品収納棚５の横幅方向に移動可能に取付けられた可動側板６が設けられている。可動側板６の横幅方向での移動範囲外にはシュート２が存在しない構成となっている。
【０００６】
ところで、これらの商品通路４の上部で商品収納棚５の前面から各商品通路４へと長手方向を横向きにした姿勢で主に断面形状が概ね円筒形及び、概ね正方形をした缶、壜、ＰＥＴ容器等からなる商品を転動もしくは摺動案内する商品案内板７が設けられ商品投入口８が構成されている。商品案内板７には商品投入口８の横幅を移動自在に設定可能でその後端で可動側板６と上下方向にのみ移動自在に連結された商品投入口変更部材９が設けられている。
【０００７】
ここで、商品投入口変更部材９は商品通路４に収納する商品の全長に応じて横幅方向に移動させて商品投入口８の横幅方向を設定するが、商品投入口変更部材９の後端で可動側板６と連結されているため可動側板６も商品通路４の横幅方向に連動して移動し商品通路４の横幅を設定することとなる。
【０００８】
なお、商品収納棚５の最前列ないし比較的手前側に配された商品通路４の上部に設けられた商品投入口８については、商品の投入位置と商品通路４までの前後方向の距離が小さいため商品を転動もしくは摺動案内する必要がなく商品案内板７が省かれることがある。
【０００９】
また、同様に商品投入口変更部材９が省かれた商品投入口８については商品投入口８および商品通路４の横幅方向を設定するのに可動側板６を直接移動させることとなる。
【００１０】
また、商品案内板７は左側可動側板１ａおよび右側可動側板１ｂに対し略前後方向に移動自在で保持され、商品案内板７の後端位置の変化により商品通路４の前後方向の距離が変化し、商品案内板７が前にあるときは商品通路４の前後方向の距離は大きくなり、商品案内板７が後にあるときは商品通路４の前後方向の距離は小さくなることにより収納する商品の胴径により設定を行えるようになっている。
【００１１】
一方、各商品通路４の下端部には商品搬出装置１０と対向して板状の商品保持板１１がそれぞれ設けられ商品搬出口１２を構成している。ここで商品保持板１１は前後方向に移動可能に左側固定側板１ａと右側固定側板１ｂとに支持され収納商品の胴径に応じて前後に移動させ商品搬出装置１０との距離を調節し、販売指令に基づき商品通路４に収納された商品の内最下商品より１本ずつ搬出可能な位置に予め設定しておくためのものである。
【００１２】
ところで、商品投入口８を構成する商品案内板７上には横幅に渡って複数の略長方形状のスリット１３が設けられており、断面が略Ｌ字状の商品投入口変更部材９の底面で商品案内板７上と当接する面でスリット１３の内いずれかと嵌合する位置に下方に向かって突出した嵌合突起部１４が設けられている。
【００１３】
商品収納棚５に収納可能な商品の全長に応じて商品投入口変更部材９を横幅方向に移動させ、嵌合突起部１４をスリット１３に嵌合させることで商品案内板７上での投入口変更部材９の位置が固定される。予め収納される商品に対し投入口変更部材９と可動側板６とが商品通路４の最適な横幅を設定する位置にスリット１３が複数設けられており複数の設定パターンが存在している。
【００１４】
以上のように構成された自動販売機の商品収納棚５について商品を収納するときの各種設定および各構成部品の動作について説明する。
【００１５】
まず、商品が商品案内板７から商品通路４へと案内されるときの横向き姿勢を安定させ商品通路４での商品立ちに起因した搬出不良を防止するために、収納する商品の胴径に応じて商品案内板７を前後方向で最適な位置に設定する。また、商品搬出口１２を構成している商品保持板１１を前後に移動させ商品搬出装置１０との距離を調節し、販売指令に基づき商品通路４に収納された商品の内最下商品より１本ずつ搬出可能な位置に設定する。次に、収納する商品の全長に応じて商品投入口８を構成する投入口変更部材９を横幅方向に移動させる。
【００１６】
投入口変更部材９と連動して可動側板６も商品通路４の横幅方向に移動させられることとなる。投入口変更部材９および可動側板６は横幅方向の最適な位置近辺で投入口変更部材９の下面に設けられた嵌合突起部１４を商品案内板７上に設けられた複数のスリット１３の内のいずれかに嵌合され横幅方向を固定させ設定完了となる。こうして設定された商品通路５に商品を収納すると、長手方向を横向きとして水平姿勢で商品搬出口１３より順次上方へ蛇行状に積み上げられて収納されていく。
【特許文献１】実開昭６４−２７７６８号公報
【特許文献２】特開平８−７７４４５号公報
【発明の開示】
【発明が解決しようとする課題】
【００１７】
しかしながら、上記従来の構成では、予め収納を予定していた商品の全長については横幅方向の設定が存在するが、予定外の商品、特に全長が従来存在しなかった新容器形状の商品については、投入口変更部材９および可動側板６を横幅方向で最適な位置に設定できない、特にすでに設置されている自動販売機に上記のような商品に対応した幅設定が構造的に対応できず、収納部内でのトラブルがあった。
【００１８】
図７は収納する商品の全長に比べより大きい横幅設定で収納したときの商品の積み上がり姿勢を示した正面よりの断面図である。収納する商品の全長に比べより大きい横幅設定とすることで収納された商品の積み上がり姿勢は上方へ行くに従い横幅方向の一方に斜めに傾き、可動側板６を押し広げる力が発生することで可動側板６の変形または右側固定側板１ｂの変形に起因した商品通路４内の商品立ちによる商品詰まりに至り搬出不良を起こすことがあった。
【００１９】
また特に収納する商品の全長に最大胴径を加えた横幅設定以上で収納予定外の商品を収納した際には、水平姿勢で正常に収納された商品の横に長手方向を垂直に向けた姿勢で商品通路４内に立った状態で横幅方向に２本並ぶことがある。
【００２０】
図８は商品並列収納状態を示した正面よりの断面図を示しており、収納された商品が商品通路４内ないし商品搬出口１２内で横幅方向に２本並ぶと販売指令に基づき１本ずつの販売ができず搬出不良となっていた。
【００２１】
さらに、胴径が小さく全長がシュート２の横幅より大きい新たな形状を有した商品を収納するときは可動側板６とシュート２の可動側板６側の端面とに形成される隙間１５から収納された商品の一部が飛び出し、ピン３上に衝突し商品の落下姿勢を崩すことがあり、商品通路４内での商品立ちによる搬出不良を引き起こしていた。
【００２２】
また、胴径が小さく全長がシュート２の横幅より大きい新たな形状を有した商品は隙間１５から収納された商品の一部が飛び出し、ピン３上に当接し更に直上に収納された商品に挟まれた状態で商品通路４内に残ることがあった。
【００２３】
本発明は、上記従来の課題を解決するもので、収納予定外の商品の全長に対しても商品通路４の横幅方向を最適な位置に可動側板６を設定し、安定した商品落下姿勢得ることで搬出不良を防止すると共に、新容器形状を有した商品に見られるように収納予定外の商品についても収納可能としより汎用性の高い自動販売機の商品収納棚を提供することを目的とする。
【課題を解決するための手段】
【００２４】
上記従来の課題を解決するために、本発明の自動販売機の商品収納棚は、固定側板と可動側板との間に商品通路の横幅寸法を規制する横幅規制部材を備え、横幅規制部材が可動側板と固定側板に当接することで商品通路の横幅寸法を規制するようにしたものである。
【００２５】
上記した構成により可動側板の設定位置があらかじめ定められていない商品を収納棚に収納する場合に対して、最適な横幅位置になるように横幅規制部材を固定側板と可動側板の間に設置することで、可動側板の設定位置を定めることができる。
【発明の効果】
【００２６】
本発明の自動販売機の商品収納棚によれば、収納予定外の商品の全長に対しても前記商品通路の横幅方向を最適な位置に前記可動側板を設定させ安定した商品落下姿勢得ることで搬出不良を防止することができる。また、新たな全長を有した商品に見られるような収納予定外の商品についても可動側板の新しい横幅設定を容易に増やすことができるため前記商品通路に収納可能となり汎用性を高めることが実現できる。
【発明を実施するための最良の形態】
【００２７】
請求項１に記載の発明は、上下方向に延びて商品通路を形成する固定側板と、前記固定側板に対向し収納する商品の長さに応じて幅方向に移動可能な可動側板を有する自動販売機の商品収納棚において、前記固定側板と前記可動側板との間に前記商品通路の横幅寸法を規制する横幅規制部材を備え、前記横幅規制部材が前記可動側板と前記固定側板に当接することで前記商品通路の横幅寸法を規制することを特徴とするものである。
【００２８】
上記した構成により収納予定外の商品の全長に対して最適な横幅位置に設定された前記可動側板が前記横幅規制部材を介して前記固定側板に当接する。
【００２９】
これによって、収納予定外の商品の全長に対しても新たな横幅設定を容易に設定することができるとともに、前記商品通路に積み上げられた商品の姿勢が水平状態で垂直に積み上げられることから可動側板を押し広げる力が発生せず前記可動側板または前記固定側板を変形させることがなく安定した商品搬出が可能となる。
【００３０】
また特、収納された商品が前記商品通路内で横幅方向に２本並ぶことのない前記可動側板の位置に設定できるため収納商品を１本ずつ横向き姿勢で積み上げることができ販売指令に基づき１本ずつの販売が常にできる。
【００３１】
さらに、胴径が小さく全長が大きいといった新たな形状を有した商品を収納するときにも前記可動側板と前記右側固定側板との横幅を前記横幅規制部材により新たな横幅設定位置として設けることができるため、収納商品の一部が前記商品通路外へ飛び出すことがなく安定した商品落下姿勢を得ることができる。
【００３２】
請求項２に記載の発明は、請求項１に記載の発明においてさらに、前後方向に複数列の商品通路を有し、１つの横幅規制部材が各々の固定側板と可動側板の間を連通して前記可動側板と前記固定側板に当接して前記商品通路の横幅寸法を規制することを特徴とするものである。
【００３３】
これによって、１つの横幅規制部材で商品収納棚の前方から後方までの商品通路に対して１度に最適な横幅設定位置を設けることができる。また、横幅規制部材が複数の商品通路を連通するのに足りる形状とすることで、手前から１列分、２列分のように、前方より商品通路の任意列分を横幅規制部材の前後方向の長さを変えることで一度に最適な横幅設定位置を設けることができる。
【００３４】
請求項３に記載の発明は、請求項１または２に記載の発明において、横幅規制部材が、商品通路内に形成された複数のシュートを保持するピンに支持されたことを特徴とするものである。
【００３５】
これによって、横幅規制部材を商品収納棚の前方から後方へ向かって挿入させるだけで上下方向の取り付け位置が固定されることから目視確認しながら容易に取付けることができる。
【００３６】
請求項４に記載の発明は、請求項１から３のいずれか一項に記載の発明において、横幅規制部材が、商品通路内に形成された複数のシュートを保持するピンに着脱可能に嵌合することを特徴とするものである。
【００３７】
これによって、横幅規制部材の商品収納棚に対する取り付け位置が固定され、使用時における横幅規制部材の位置ズレや脱落を防ぐことができる。
【００３８】
請求項５に記載の発明は、請求項１から３のいずれか一項に記載の発明において、横幅規制部材が、固定側板に着脱可能に嵌合することを特徴とするものである。
【００３９】
これによって、より強度のある固定側板への横幅規制部材の取り付けにおいてより嵌合力のある取付が可能となり、横幅規制部材の商品収納棚に対する取り付け位置が固定され使用時における横幅規制部材の位置ズレや脱落を防ぐことができる。
【００４０】
請求項６に記載の発明は、請求項１から３のいずれか一項に記載の発明において、横幅規制部材が、商品通路内に形成された複数のシュートを保持するピンと固定側板のそれぞれに着脱可能に嵌合することを特徴とするものである。
【００４１】
これによって、横幅規制部材の商品収納棚に対する取り付け位置が固定され使用時における横幅規制部材の位置ズレを更に軽減できる。
【００４２】
請求項７に記載の発明は、請求項１から６のいずれか一項に記載の発明において、横幅規制部材には固定側板の端部に嵌合する嵌合部と、前記端部に係合するストッパー部を一体で形成し、前記端部が前記嵌合部と前記ストッパー部の間に配置することで前記横幅規制部材が前記固定部材に嵌合されることを特徴とするものである。
【００４３】
これによって、横幅規制部材を固定側板に固定するとき、ストッパー部を固定側板の端部を乗り越えて嵌合させ、端部を嵌合部内に配置させることで着脱可能に嵌合させることができる。
【００４４】
請求項８に記載の発明は、請求項１から７のいずれか一項に記載の発明において、横幅規制部材は断面略コ字状の板状部材であり、前記横幅規制部材で可動側板に当接するベース面の上下端を固定側板側に折り曲げてフランジ部を形成し、前記フランジ部の先端が前記固定側板に当接して前記商品通路の横幅寸法を規制することを特徴とするものである。
【００４５】
これによって、前記横幅規制部材が有するフランジ部の端面が前記固定側板に当接することとなり収納商品が前記フランジ部に接触することなく収納商品の傷付きまたは破損を無くすことができる。
【００４６】
請求項９に記載の発明は、請求項８に記載の発明において、横幅規制部材はベース面に可動側板側に向かって突出した突起部を形成した板状部材であることを特徴とするものである。
【００４７】
これによって、前記横幅規制部材の強度が上がるため、収納された商品によって前記可動側板へかかる荷重が大きくなっても前記横幅規制部材の変形がなく前記商品通路の横幅設定位置を安定して確保することができる。
【００４８】
請求項１０に記載の発明は、請求項８に記載の発明において、横幅規制部材がベース面に固定側板側に向かって突出した突起部を形成した板状部材であることを特徴とするものである。
【００４９】
これによって、前記突起部の面積を小さくしても常に前記左側固定側板と当接し、一方前記突起部以外の面積が必然的に大きくなることで前記可動側板と当接する面積が増えるため前記可動側板の横幅方向の位置が安定して確保される。また、前記突起部の面積を小さくすることで加工バラツキが小さくなることから加工性が良く、より精度の高い部品として供給することができる。
【００５０】
以下、本発明の実施の形態について、図面を参照しながら説明する。なお、この実施の形態によって本発明が限定されるものではない。
【００５１】
（実施の形態１）
本発明の実施の形態１を図１から図５を参照して順次説明する。図１は商品収納棚の主要構成部品を示した斜視図である。
【００５２】
左右に対向した２枚の固定側板として左側固定側板１ａと右側固定側板１ｂ間に円弧状に湾曲したシュート２を付勢部材２ａにて下端を上方待機させ、上端は略円筒形状の回転軸２ｂを有しピン３に芽設し、上下方向に且つ前後方向に対向させ千鳥状に複数配設して蛇行状に形成された商品通路４を前後方向に複数列備えて自動販売機の商品収納棚５が構成されている。
【００５３】
各商品通路４には左側固定側板１ａに商品収納棚５の横幅方向に移動可能に取付けられた可動側板６が設けられている。可動側板６の横幅方向での移動範囲外にはシュート２が存在しない構成となっている。
【００５４】
ところで、これらの商品通路４の上部で商品収納棚５の前面から各商品通路４へと長手方向を横向きにした姿勢で主に断面形状が概ね円筒形及び、概ね正方形をした缶、壜、ＰＥＴ容器等からなる商品を転動もしくは摺動案内する商品案内板７が設けられ商品投入口８が構成されている。商品案内板７には商品投入口８の横幅を移動自在に設定可能にその後端で可動側板６と上下方向にのみ移動自在に連結された商品投入口変更部材９が設けられている。
【００５５】
ここで、商品投入口変更部材９は商品通路４に収納する商品の全長に応じて横幅方向に移動させて商品投入口８の横幅方向を設定するが、商品投入口変更部材９の後端で可動側板６と連結されているため可動側板６も商品通路４の横幅方向に連動して移動し商品通路４の横幅を設定することとなる。
【００５６】
なお、商品収納棚５の最前列ないし比較的手前側に配された商品通路４の上部に設けられた商品投入口８については、商品の投入位置と商品通路４までの前後方向の距離が小さいため商品を転動もしくは摺動案内する必要がなく商品案内板７が省かれることがある。
【００５７】
また、同様に商品投入口変更部材９が省かれた商品投入口８については商品投入口８および商品通路４の横幅方向を設定するのに可動側板６を直接移動させることとなる。
【００５８】
また、商品案内板７は左側可動側板１ａおよび右側可動側板１ｂに対し略前後方向に移動自在で保持され、商品案内板７の後端位置の変化により商品通路４の前後方向の距離が変化し、商品案内板７が前にあるときは商品通路４の前後方向の距離は大きくなり、商品案内板７が後にあるときは商品通路４の前後方向の距離は小さくなることにより収納する商品の胴径により設定を行えるようになっている。
【００５９】
一方、各商品通路４の下端部には商品搬出装置１０と対向して板状の商品保持板１１がそれぞれ設けられ商品搬出口１２を構成している。ここで商品保持板１１は前後方向に移動可能に左側固定側板１ａと右側固定側板１ｂとに支持され収納商品の胴径に応じて前後に移動させ商品搬出装置１０との距離を調節し、販売指令に基づき商品通路４に収納された商品の内最下商品より１本ずつ搬出可能な位置に予め設定しておくためのものである。
【００６０】
ところで、商品投入口８を構成する商品案内板７上には横幅に渡って複数の略長方形状のスリット１３が設けられており、断面が略Ｌ字状の商品投入口変更部材９の底面で商品案内板７上と当接する面でスリット１３の内いずれかと嵌合する位置に下方に向かって突出した嵌合突起部１４が設けられている。
【００６１】
商品収納棚５に収納可能な商品の全長に応じて商品投入口変更部材９を横幅方向に移動させ、嵌合突起部１４をスリット１３に嵌合させることで商品案内板７上での投入口変更部材９の位置が固定される。予め収納される商品に対し投入口変更部材９と可動側板６とが商品通路４の最適な横幅を設定する位置にスリット１３が複数設けられており複数の設定パターンが存在している。
【００６２】
以上のように構成された自動販売機の商品収納棚５について商品を収納するときの各種設定および各構成部品の動作について説明する。
【００６３】
まず、商品が商品案内板７から商品通路４へと案内されるときの横向き姿勢を安定させ商品通路４での商品立ちに起因した搬出不良を防止するために、収納する商品の胴径に応じて商品案内板７を前後方向で最適な位置に設定する。また、商品搬出口１２を構成している商品保持板１１を前後に移動させ商品搬出装置１０との距離を調節し、販売指令に基づき商品通路４に収納された商品の内最下商品より１本ずつ搬出可能な位置に設定する。
【００６４】
次に、収納する商品の全長に応じて商品投入口８を構成する投入口変更部材９を横幅方向に移動させる。投入口変更部材９と連動して可動側板６も商品通路４の横幅方向に移動させられることとなる。投入口変更部材９および可動側板６は横幅方向の最適な位置近辺で投入口変更部材９の下面に設けられた嵌合突起部１４を商品案内板７上に設けられた複数のスリット１３の内のいずれかに嵌合され横幅方向を固定させ設定完了となる。
【００６５】
こうして設定された商品通路５に商品を収納すると、長手方向を横向きとして水平姿勢で商品搬出口１３より順次上方へ蛇行状に積み上げられて収納されていく。
【００６６】
ここで商品収納棚５に収納可能な商品の全長は予め分類されており、分類された数と同等の投入口変更部材９および可動側板６の設定位置が存在しているため各々の商品を収納したときの積み上がり姿勢は商品通路４に添った形で垂直方向に積み上げられていく。
【００６７】
しかしながら、商品全長を基に分類された各カテゴリーに属さない商品を収納する機会が発生すると、その積み上がり姿勢は商品通路４に添った形で積み上げられていくものの積み上げられていくに従い商品通路４の左右方向どちらか一方に収納姿勢を斜めに傾かせ積み重ねられていくこととなる。
【００６８】
一方、図１中で、可動側板６の上下端の略中間部で商品収納棚５の前面より商品通路４をさえぎる位置で且つ、左側固定側板１ａと可動側板６との間に取り付けられた横幅規制部材１５が複数のピン３の上部に当接して、左側固定側板１ａの前端に施された略円筒形状の補強部１６に嵌合されて取り付けられている。
【００６９】
図２は横幅規制部材の斜視図である。図２において板状のベース面１７の上下両端を固定側板側にそれぞれ約９０度折り曲げてフランジ部を形成し、左側固定側板１ａにその先端が当接するように設けられている。
【００７０】
ベース面１７の中央部には横幅規制部材１５に当接する突起部１９が設けられている。また、横幅規制部材１５の前端には断面が略コの字状の嵌合部２０が形成され、嵌合部２０の上端には略コの字状の断面をふさぐ方向に突出した略三角形状のストッパー部２１を有している。
【００７１】
図３は横幅規制部材が取り付けられた商品収納棚の断面図である。商品収納棚５の前面より後ろに向かって５列の商品通路４で構成されており、横幅規制部材１５は前より４列分の商品通路４をさえぎる長さを有しており、前から４つの可動側板６は左側固定側板１ａ側へ移動すると横幅規制部材１５に当接することとなる。
【００７２】
また、最も後ろに配された商品通路に構成された可動側板６は横幅規制部材１５に当接せず、左側固定側板１ａに当接することとなり、右側固定側板１ｂからの距離が最も大きくなる位置まで移動可能となっている。
【００７３】
左側固定側板１ａの前端に施された略円筒形状の補強部１６の直後に横幅規制部材１５の前端に設けられた断面が略コの字状の嵌合部２０の上端に略コの字状の断面をふさぐ方向に突出して設けられた略三角形状のストッパー部２１が当接されている。
【００７４】
図４は横幅規制部材を商品収納棚に取り付ける寸前の部分斜視図である。ストッパー部２１の外郭の一部を構成する端面が左側固定側板１ａに施された補強部１６に対して前から後ろに向かって左側固定側板１ａから遠ざかる方向に略楔状で接しており、後ろ方向へ横幅規制部材１５を押しやることでストッパー部２１のストッパー頂点２２が補強部１６を乗り越えて横幅規制部材１５が左側固定側板１ａに施された補強部１６に嵌合することとなる。
【００７５】
図５は横幅規制部材が左側固定側板に施された補強部に嵌合した状態の部分斜視図である。可動側板６を左側固定側板１ａに当接するまで広げたいときは横幅規制部材１５を左側固定側板１ａに施された補強部１６から外すことが必要となる。
【００７６】
ストッパー部２１の外郭の一部を構成する端面が左側固定側板１ａに施された補強部１６の直後で後ろから前に向かって左側固定側板１ａから遠ざかる方向に略楔状で接しており、横幅規制部材１５を前方に移動させることでストッパー部２１のストッパー頂点２２が補強部１６を乗り越えて補強部１６との嵌合が回避され横幅規制部材１５が取り外される。
【００７７】
ところで、横幅規制部材１５を取り付けて商品通路４の最大横幅がより小さく設定可能となった商品通路に、商品全長を基に分類された各カテゴリーに属さない商品を収納すると、その積み上がり姿勢は商品通路４に添った形で垂直方向に積み上げられていくこととなる。
【００７８】
もっとも横幅規制部材１５に設けられたフランジ部１８の高さは商品全長を基に分類された各カテゴリーに属さない商品の全長と右側固定側板１ｂと可動側板６との最大距離との差より小さく、商品全長を基に分類された各カテゴリーに属さない商品の最大胴径に全長を加えた数値と右側固定側板１ｂと可動側板６との最大距離との差より大きく設定しているため商品通路４内での商品の積み上がり姿勢が商品通路４に添った形で積み上げられていくものの積み上げられていくに従い商品通路４の左右方向どちらか一方に収納姿勢を斜めに傾かせ積み重ねられていくことなく垂直に積み上げられていく要因となっている。
【００７９】
本実施の形態１では、横幅規制部材１５にフランジ部１８と突起部１９との両方を設けたがどちらか一方のみでも同等の効果を得ることができる。但し、フランジ部１８の高さおよび突起部１９の高さについては商品通路４に収納する商品の全長と最大胴径によって決定することが望ましい。
【００８０】
また、横幅規制部材１５に設けられたフランジ部１８と突起部１９の各突出方向は本実施の形態１では、左側固定側板１ａ側としたが、右側固定側板１ｂ側としても良く、このときについては、ベース面１７と左側固定側板１ａとを当接するように略コの字状の嵌合部２０を横幅方向で縮めなければならない。
【００８１】
要するに横幅規制部材１５に設けられたフランジ部１８と突起部１９の各突出方向についての制約は無く、横幅規制部材１５が左側固定側板１ａと可動側板６とのそれぞれに同時に当接したときの右側固定側板１ｂと可動側板６との距離が重要となる。
【００８２】
以上、本実施形態によれば、上下方向に延びて商品通路の一部を形成する左右一対の左側固定側板１ａ及び右側固定側板１ｂと、左側固定側板１ａに対向し収納する商品の長さに応じて幅方向に移動可能な可動側板６を有する自動販売機の商品収納棚５において、左側固定側板１ａと可動側板６との間でそれぞれに当接可能な横幅規制部材１５を備え、可動側板６と左側固定側板１ａに横幅規制部材１５がそれぞれに当接することで商品通路４の横幅の広がりを阻止することができる。
【００８３】
したがって、収納予定外の商品の全長に対して最適な横幅位置に設定された可動側板６が横幅規制部材１５を介して左側固定側板１ａに当接することよって、収納予定外の商品の全長に対しても新たな横幅設定を容易に増やすことができるとともに、商品通路４に積み上げられた商品の姿勢が水平状態で垂直に積み上げられることから可動側板６を押し広げる力が発生せず可動側板６または左側固定側板１ａまたは右側固定側板１ｂを変形させることがなく安定した商品搬出が可能となる。
【００８４】
また特に、収納された商品が商品通路４内で横幅方向に２本並ぶことのない可動側板６の位置に設定できるため収納商品を１本ずつ横向き姿勢で積み上げることができ販売指令に基づき１本ずつの販売が常にできるため搬出不良を減らすことができる。
【００８５】
さらに、胴径が小さく全長が大きいといった新たな形状を有した商品を収納するときにも可動側板６と右側固定側板１ｂとの横幅を横幅規制部材１５により新たな横幅設定位置として設けることができるため、収納商品の一部が商品通路４外へ飛び出すことがなく安定した商品落下姿勢を得ることができる。
【００８６】
また、前後方向に複数列の商品通路４を有し、１つの横幅規制部材１５が各々の左側固定側板１ａと可動側板６の間を連通して可動側板６と左側固定側板１ａに当接することから、１つの横幅規制部材１５で商品収納棚５の前から後までの商品通路４に対して１度に最適な横幅設定位置を設けることができる。
【００８７】
さらに、横幅規制部材１５が複数の商品通路４を連通するのに足りる形状とすることで、手前から１列分、２列分等最前列より商品通路４を連続した任意列分を横幅規制部材１５の前後方向の長さを変えることで一度に最適な横幅設定位置を設けることができる。
【００８８】
また、横幅規制部材１５が、商品通路４内に形成された複数のシュート２を保持するピン３上に支持したことよって、横幅規制部材１５を商品収納棚５の前面より後へ向かって移動させるだけで上下方向の取り付け位置が固定されることから目視確認しながら容易に取付けることができる。
【００８９】
また、横幅規制部材１５が、商品通路４内に形成された複数のシュート２を保持するピン２ないし前記左右一対の左側固定側板１ａと右側固定側板１ｂの横幅方向への広がりを押さえるピン３に着脱可能に嵌合させても良く、このときの横幅規制部材１５の形状としては上下いずれかのフランジ部１８の前端に嵌合部２０を設けることで実現できる。
【００９０】
この構成により横幅規制部材１５の商品収納棚５に対する取り付け位置が固定され使用時における横幅規制部材１５の位置ズレや脱落を防ぐことができる。
【００９１】
また、横幅規制部材１５が、左側固定側板１ａに着脱可能に嵌合することによって、より強度のある左側固定側板１ａへの横幅規制部材１５の取り付け可能となり嵌合力のある取付けができると共に、横幅規制部材１５の商品収納棚５に対する取り付け位置が固定された後の使用時における横幅規制部材１５の位置ズレや脱落を防ぐことができる。
【００９２】
また、横幅規制部材１５が、商品通路４内に形成された複数のシュート２を保持するピン３と左側固定側板１ａのそれぞれに着脱可能に嵌合することによって、横幅規制部材１５の商品収納棚５に対する取り付け位置が固定され使用時における横幅規制部材１５の位置ズレを更に軽減できる。
【００９３】
また、本実施の形態では横幅規制部材１５は左側固定側板１ａ側に向かってフランジ１９を形成した板状部材としたが、横幅規制部材１５が可動側板６側に向かってフランジ部１８を形成した板状部材としても良く、設計上、加工上ともにフランジ部１８の高さを容易に変更することが可能となり、新たな全長を有した商品について専用の横幅規制部材１５を容易に加工することができるため商品通路４の最適な横幅設定を容易に設けることができ、商品収納棚５に収納できる商品の種類を容易に増やすことができる。
【００９４】
また、横幅規制部材１５は左側固定側板１ａ側に向かってフランジ１９を形成した板状部材としたことにより、横幅規制部材１５が有するフランジ部１８の先端の端面が商品通路４と反転した方向で左側固定側板１ａに当接することとなり収納商品がフランジ部１８先端の端面に接触することなく収納商品の傷付きまたは破損を無くすことができる。
【００９５】
また、本実施の形態では横幅規制部材１５に左側固定側板１ａ側に向かって突出した突起部１９を形成したが、横幅規制部材１５は可動側板６側に向かって突出した突起部１９を形成した板状部材としても良く、この構成によって横幅規制部材１５の強度が上がるため、収納された商品によって可動側板６へかかる荷重が大きくなっても横幅規制部材１５の変形がなく商品通路４の横幅設定位置を安定して確保することができる。
【００９６】
また、横幅規制部材１５が左側固定側板１ａ側に向かって突出した突起部１９を形成した板状部材としたことによって、横幅規制部材１５の強度が上がるだけの効果にとどまらず、突起部１９の面積を小さくしても常に左側固定側板１ａと当接し、一方突起部１９以外の面積が必然的に大きくなることで可動側板６と当接する面積が増えるため可動側板６の横幅方向の位置が安定して確保される。また、突起部１９の面積を小さくすることで加工バラツキが小さくなることから加工性が良く、より精度の高い部品として供給することができる。
【産業上の利用可能性】
【００９７】
以上のように本発明にかかる飲料自動販売機は多種類の缶飲料やペット飲料の自動販売機に対応でき商品搬出の品質を向上させた自動販売機を提供できる。
【図面の簡単な説明】
【００９８】
【図１】本発明の実施の形態１における商品収納棚の主要構成部品を示した斜視図
【図２】本発明の実施の形態１における横幅規制部材の斜視図
【図３】本発明の実施の形態１における商品収納棚の断面図
【図４】本発明の実施の形態１における部分斜視図
【図５】本発明の実施の形態１における部分斜視図
【図６】従来の商品収納棚の斜視図
【図７】従来の商品補充時の商品収納棚の断面図
【図８】従来の商品補充時の商品収納棚の断面図
【符号の説明】
【００９９】
１ａ  左側固定側板
１ｂ  右側固定側板
２    シュート
２ａ  付勢部材
２ｂ  回転軸
３    ピン
４    商品通路
５    商品収納棚
６    可動側板
７    商品案内板
８    商品投入口
９    商品投入口変更部材
１０  商品搬出装置
１１  商品保持板
１２  商品搬出口
１３  スリット
１４  嵌合突起部
１５  横幅規制部材
１６  補強部
１７  ベース面
１８  フランジ部
１９  突起部
２０  嵌合部
２１  ストッパー部
２２  ストッパー頂点
【図１】
2007122124.tif 000003
【図２】
2007122124.tif 000004
【図３】
2007122124.tif 000005
【図４】
2007122124.tif 000006
【図５】
2007122124.tif 000007
【図６】
2007122124.tif 000008
【図７】
2007122124.tif 000009
【図８】
2007122124.tif 000010